(57)【要約】      （修正有）【課題】木造住宅の壁内結露による木材強度の低下や耐震強度の低下を防ぎ、かつ、調湿スペーサーの働きによる気化熱冷却効果を有する長寿命住宅を提供する。【解決手段】屋根の垂木２０の間に屋根除湿通気スペーサー３０、屋根上に棟排気口１０を備え、屋根除湿通気スペーサーと屋根構造用合板９０との間の空間Ａを屋根排熱気流２が通り、棟排気口から排熱することで、屋根構造用合板の劣化を抑える。また、外壁材８０と壁断熱材４１との間に、気流が通る空間Ｃを有するように壁除湿通気スペーサー４０を配置し、小屋裏に屋根除湿通気スペーサーを備え、空間Ｃを通った壁体内上昇気流４が、小屋裏の屋根除湿通気スペーサーの輻射熱で生じた上昇気流３により小屋裏の空間Ｂに導かれて棟排気口から排気され、壁体内と小屋裏の湿度環境を整える。屋根除湿通気スペーサーと壁除湿通気スペーサーは、段ボール製からなる。【選択図】図１
0003189391.tif 000002
【実用新案登録請求の範囲】
【請求項１】
屋根の垂木と垂木の間に屋根除湿通気スペーサー３０、屋根上に棟排気口１０を備え、屋根除湿通気スペーサー３０と屋根構造用合板９０との間の空間Ａを屋根排熱気流２が通り、棟排気口１０から排熱することで、屋根構造用合板の劣化を抑えることを特徴とする除湿通気スペーサーを用いた長寿命住宅。
【請求項２】
外壁材と壁の断熱材との間に、気流が通る空間Ｃを有するように配置した壁除湿通気スペーサー４０と、小屋裏に屋根除湿通気スペーサー３０と、屋根上に棟排気口１０を備え、空間Ｃを通った壁体内上昇気流４が、小屋裏の屋根除湿通気スペーサー３０の輻射熱で生じた上昇気流を有する小屋裏の空間Ｂに導かれて棟排気口１０から排気され、壁体内と小屋裏の湿度環境を整えることを特徴とする除湿通気スペーサーを用いた長寿命住宅。
【請求項３】
前記、屋根除湿通気スペーサー３０と壁除湿通気スペーサー４０は、段ボール製であることを特徴とする請求項１又は請求項２に記載の除湿通気スペーサーを用いた長寿命住宅。
【考案の詳細な説明】
【技術分野】
【０００１】本考案は、木造住宅の屋根材の劣化を抑制し、自然空気循環システムを実現するために、省エネで耐久性を高める除湿通気スペーサーを用いた長寿命住宅に関する。
【背景技術】
【０００２】屋根の構造用合板は、灼熱にさらされたり放射冷却による結露でもろくなり、また気流がなければ木は蒸れて腐ってしまうことから、気流を止めることに専念する高気密・高断熱だけの従来の省エネ住宅では、高温多湿化が進む日本の気候風土には合わなくなり、長寿命な住宅とは言えない。
【考案の概要】
【考案が解決しようとする課題】
【０００３】高温多湿化が進む日本の気候風土では、気流がなく空気が淀んでしまうと湿気溜まりができてしまい、結露や腐朽菌、カビ、シロアリが繋殖しやすくなりそれが要因で木造住宅の強度を弱め、寿命を縮めることになっている。住まいの耐久性を高め快適に住まう上で、湿気対策は最も重要な課題である。従って構造躯体内には気流を発生させ、室内は気密化して保温効果を高めることが必要となる。
調湿性の高い段ボールの素材と通気プレカット工法を確立している自社の技術とを合わせることによって、省エネ・長寿命住宅を実現することを目的とする。
【課題を解決するための手段】
【０００４】熱い空気は上昇するという原理から、太陽光の熱エネルギーを利用する。
屋根の垂木と垂木の間に屋根除湿通気スペーサー３０と屋根上に棟排気口１０を備え、屋根構造用合板９０との間の空間Ａを屋根排熱気流２が通り、棟排気口１０から排熱することで屋根付近を除熱し、屋根構造用合板の劣化を抑える。また、外壁材と壁の断熱材との間に、気流が通る空間Ｃを有するように壁除湿通気スペーサー４０を備え、空間Ｃを通った壁体内上昇気流４が、小屋裏の屋根除湿通気スペーサー３０の輻射熱で生じた小屋裏排熱気流３を有する空間Ｂに導かれ棟排熱気流１として排気される。さらにその過程において壁体内と小屋裏の湿度環境を整えることを特徴とする、除湿通気スペーサーを用いた長寿命住宅。【０００５】前記、屋根除湿通気スペーサー３０と壁除湿通気スペーサー４０は段ボール製であることを特徴とする除湿通気スペーサーを用いた長寿命住宅。
【考案の効果】
【０００６】上述のように、本考案の段ボールの特性を利用した除湿通気スペーサーによる長寿命住宅は、太陽光の自然エネルギーによる気流と調湿性のある段ボール素材とで吸湿して気化熱冷却する為、電力と機械換気が一切不要となり、消費電力ゼロ、メンテナンス費用ゼロ、しかも、１０年後、２０年後の機械交換も必要ないのでとても経済的である。更には、追加技法によって、壁紙に吸湿性のある素材を使用すれば、壁ボード＋グラスウール＋除湿通気スペーサーの浸透圧効果で、室内の湿気を内壁から排出させることも可能となる。つまり、省エネで経済的かつ長寿命で健康な住宅の普及に役立つ。
【図面の簡単な説明】
【０００７】
【図１】本考案の除湿通気スペーサーによる長寿命住宅の自然空気循環システムの構成
【図２】本考案の除湿通気スペーサーによる長寿命住宅の屋根面の通気スペースの構成（断面図）
【図３】本考案の除湿通気スペーサーによる長寿命住宅の壁体内の通気スペースの構成（断面図）
【考案を実施するための形態】
【０００８】図１は、本考案の除湿通気スペーサーによる長寿命住宅の自然空気循環システムの構成を示す。
本考案の家屋を建築するにあたり、自然空気循環システムにおいて最も重要である空気が流れる原理を、夏と冬に分けてその効能と合わせて詳細に説明する。
【０００９】屋根の垂木と垂木の間に屋根除湿通気スペーサー３０と、屋根上に棟排気口１０を備え、屋根除湿通気スペーサーと屋根構造用合板９０との間にある空間Ａの空気が太陽熱で暖められて棟排熱気流１が発生する。空間Ａに上昇気流が発生したことで軒先の外気が吸い込まれ、屋根排熱気流２となって棟排気口１０から排気される。また、外壁材と壁の断熱材の間に、気流が通る空間Ｃを有するように壁除湿通気スペーサー４０を備え、その空間Ｃを通った壁体内上昇気流４が、屋根除湿通気スペーサー３０の裏面の輻射熱で生じた小屋裏排熱気流３を有する空間Ｂに導かれ棟排熱気流１となって排気される。そして、その負圧を利用して床下の空気を吸い上げ、壁体内を通して小屋裏へと導く。この小屋裏排熱気流３が、本考案の自然空気循環システムの原動力となる。さらに、その過程において段ボール製の除湿通気スペーサーの吸湿性、調湿性を利用して壁体内の湿度環境を整えることができる。
【００１０】図２は、長寿命住宅の垂木の下端から屋根上端を見上げたときの通気スペースの構成（断面図）を示す。
図２に示すように、屋根除湿通気スペーサー３０は段ボールで構成され、両端をＬ字型に折り曲げて垂木間に配置し、屋根構造用合板との間に空間Ａを設けて気流を通す。
【００１１】図３は、本考案の除湿通気スペーサーによる長寿命住宅の壁体内の通気スペースの構成（断面図）を示す。
図３に示すように、壁除湿通気スペーサー４０は段ボールで構成され、壁断熱材４１の外側に配置し、外壁材８０と壁除湿通気スペーサー４０の間に気流を通す空間を設けている。
【００１２】段ボールは施工性に優れており、複雑な屋根の形状や壁の形状に対応して折り曲げ加工することができる。
屋根除湿通気スペーサーの上部面では、屋根の熱を上昇気流にして排熱するので空間Ａでは遮熱効果が得られるが、完全に遮熱してしまうのではなく、屋根除湿通気スペーサーの下部面では、その輻射熱により近辺の空気を暖めて上昇気流を発生させる。そのため、輻射熱伝導が可能な厚みに調整して作られている。
【００１３】直射日光による外壁面の温度上昇や放射冷却による急激な温度の低下に対して壁除湿通気スペーサーを断熱材の外壁面側に設けることで、外気を遮熱し室内温度を保温するとともに、壁体内の湿気を吸湿・放湿することによって構造躯体内を調湿する。
具体的に説明すると、夏場、従来の建物の小屋裏温度は５０℃から６０℃まで上昇するが、図１において、屋根瓦の直接的な熱は、垂木２０の間に配置した屋根除湿通気スペーサー３０と屋根構造用合板９０との間の空間Ａを屋根排熱気流２となって棟換気口１０から排熱される。さらには、屋根除湿通気スペーサーの輻射熱によって、屋根排熱気流２とは別の小屋裏排熱気流３が発生し、棟排熱気流１となって排気される。これにより、屋根付近と小屋裏の温度上昇が抑えられる。また、この排気エネルギーから生ずる負圧が原動力となり壁体内の空気を吸い上げることが可能となる。壁面においても、外壁面からの太陽熱が壁除湿通気スペーサー４０によって遮熱されて壁体内上昇気流４となり、さらなる負圧で床下の涼しい空気を吸い上げる。この時、明け方の朝露や沈下した湿気も吸い上げることにより床下が除湿される。そして、この吸い上げられた湿気が壁除湿通気スペーサー４に吸い込まれ日中の上昇気流によって乾く時に熱が奪われる気化熱冷却作用によって室内側の壁面温度を急激に下げる効果がある。この原理で夏の冷房負荷を軽減することができる。
【００１４】気流のもう一つの重要な役割は、構造躯体内に調湿された空気を循環させることによって木材の強度を劣化させないことである。気流のない家屋で懸念されることは、床下の空気が滞留して湿気溜まりができ、土台の腐れの原因となってしまうことである。壁体内も気密化されると外壁の輻射熱で高温化し、そのため木材の持つ湿気が噴出し、夜間の放射冷却で結露して木材の劣化を早めてしまう。
【００１５】冬でも南東面の屋根瓦は太陽熱によって暖かくなり上昇気流の屋根排熱気流２および小屋裏排熱気流３が発生する。北西面でも西日が当たると壁面温度が上がり、その輻射熱で壁体内上昇気流４が発生する。この微量な気流でも冬場の壁内結露を解消する為、木材の劣化を抑制することができ耐震強度が新築のまま維持できる。
【００１６】冬場、建物で重要なことは、外気を遮熱し室内を保温することである。外壁からの冷気は段ボール製の壁除湿通気スペーサー４０によって遮熱され、壁断熱材４１で断熱することにより室内には伝わらず、また、室内の暖気も、室内側は気密施工されているので壁断熱材４１と壁除湿通気スペーサー４０によって十分な保温性能が確保される。この遮熱保温効果で、冬の暖房負荷を軽減することができる。
【００１７】本考案の家屋を建築・施工するには、上述の気流の原理を十分に理解し、気流が淀みなく循環できるよう構造躯体に気流溝を加工する。
【符号の説明】
【００１８】  １    棟排熱気流
１０  棟換気口
２    屋根排熱気流
２０  垂木
３    小屋裏排熱気流
３０  屋根除湿通気スペーサー
４    壁体内上昇気流
４０  壁除湿通気スペーサー
４１  壁断熱材
５０  天井断熱材
６０  床下断熱材
６１  基礎断熱材
６    床下気流
７０  内装耐火ボード
８０  外壁材
９０  屋根構造用合板
Ａ    垂木間の空間
Ｂ    小屋裏の空間
Ｃ    壁体内の空間
【図１】
0003189391.tif 000003
【図２】
0003189391.tif 000004
【図３】
0003189391.tif 000005